(57)【特許請求の範囲】
【請求項１】
対象物に打点を刻印するポンチ部と、
前記打点のＸ座標を位置決めするＸスケールと、
前記打点のＹ座標を位置決めするＹスケールと、
を備え、
前記Ｘスケール又は前記Ｙスケールに長手方向に沿って細長の開口部が形成され、
前記ポンチ部は、前記開口部を介して前記対象物に前記打点を刻印可能に、前記Ｘスケール又は前記Ｙスケールにスライド可能に設けられ、
前記開口部の幅は、前記Ｘスケール又は前記Ｙスケールの幅に対して０．２〜０．５倍の大きさに設定され、
前記Ｘスケール又は前記Ｙスケールの幅において、その一端から０．２倍以上０．７倍未満の位置、及び０．７倍以上０．９倍未満の位置に、前記開口部の両端が夫々存在するよう前記開口部が形成され、
前記Ｘスケール又は前記Ｙスケールに対する前記ポンチ部のスライド移動量を規制する規制部を備え、
前記ポンチ部は、前記Ｘスケール及び前記Ｙスケールに付された目盛りを読み取るための確認窓を備え、
前記ポンチ部は円形であり、当該ポンチ部の円の中心の位置に対応するように、前記ＸスケールのＸ座標の位置決めを行う矢印及び前記ＹスケールのＹ座標の位置決めを行う矢印が設けられている可動式ポンチ。
【発明の詳細な説明】
【技術分野】
【０００１】
本発明は、対象物に打点を刻印するポンチに関する。
【背景技術】
【０００２】
ポンチとは、ドリルで穴を開けようとする際に穴の中心を決め、ドリルの先端が逃げないように対象物に打点を刻印するための工具である。ポンチの先端は通常円錐形になっており、硬度の高い材質が用いられている。予め測定しておいた対象物の所定の位置に打点を刻印する際には、ポンチの先端を対象物の表面に垂直に当て、ハンマーで中心がずれないようにポンチの基端側を打つ。
【０００３】
例えば、従来公知のポンチとして、移動基体にＸ溝とＹ溝を形成し、Ｘ溝にＸスケールを、Ｙ溝にＹスケールをスライド可能に取り付け、移動基体をＸスケールを介して予め設定の長さまで移動後、Ｙスケールを予め設定の長さに移動させてＸＹ位置を測定し、ポンチでマーキングするＸＹ測定具があった（例えば、特許文献１を参照）。
【０００４】
特許文献１によれば、このＸＹ測定具を用いると、Ｘ方向とＹ方向に各々測定を行う操作が必要なく、目的の位置にマーキング（ポンチ）することができることが記載されている。
【先行技術文献】
【特許文献】
【０００５】
【特許文献１】特開平１１−１１８４０１号公報
【発明の概要】
【発明が解決しようとする課題】
【０００６】
対象物にポンチでマーキングを行う場合、予め目盛付きスケールを用いて位置決めを行う必要がある。位置決めを行う際は、まずＸ座標又はＹ座標を位置決めし、次にＹ座標又はＸ座標を位置決めする。Ｘ座標及びＹ座標の位置決めが完了したら、その状態を維持したままポンチを対象物の表面に当接させ、ハンマー等でポンチを打って打点を刻印する。この際、Ｘスケール及びＹスケールの目盛と、ポンチで刻印した打点の位置とが正確に対応していることが求められる。
【０００７】
この点に関し、特許文献１のＸＹ測定具には、Ｘ方向とＹ方向とを測定することができる「移動基体」が備わっている。移動基体にＸスケールとＹスケールとがスライド可能になるように溝が形成され、移動基体をＸスケールを介して予め設定の長さまで移動後、Ｙスケールを予め設定の長さまで移動させてＸＹ位置を測定する機構である。このため、特許文献１のＸＹ測定具では、Ｘ座標とＹ座標とを特定するのに、煩雑な動作が必要であった。
【０００８】
また、特許文献１のＸＹ測定具のポンチ部は、各スケールの目盛から離れた場所に位置しているため、目盛が確認し難く、またポンチで打点を刻印する際は、ＸスケールとＹスケールとが動かないように使用者が片手で固定する必要があった。このため、Ｘスケール及びＹスケールの目盛と、ポンチで刻印した打点の位置との間にずれが生じ、目的の位置に正確な打点を刻印することが困難となる場合があった。特に、多数の異なる位置にポンチで打点を刻印する必要がある場合においては、移動基体やスケールを何度も移動させる必要があるため、ポンチ部の移動方法の改善が求められる。
【０００９】
本発明は、上記問題点に鑑みてなされたものであり、Ｘ座標とＹ座標との位置を効率的、且つ正確に測定し、対象物に打点を刻印することができる可動式ポンチを提供することを目的とする。
【課題を解決するための手段】
【００１０】
上記課題を解決するための本発明に係る可動式ポンチの特徴構成は、
対象物に打点を刻印するポンチ部と、
前記打点のＸ座標を位置決めするＸスケールと、
前記打点のＹ座標を位置決めするＹスケールと、
を備え、
前記Ｘスケール又は前記Ｙスケールに長手方向に沿って細長の開口部が形成され、
前記ポンチ部は、前記開口部を介して前記対象物に前記打点を刻印可能に、前記Ｘスケール又は前記Ｙスケールにスライド可能に設けられることにある。
【００１１】
本構成の可動式ポンチによれば、Ｘスケール又はＹスケールにスライド可能に設けられたポンチ部が、Ｘスケール又はＹスケールの長手方向に沿って形成された細長の開口部を介して対象物に打点を刻印可能に構成されている。そのため、ポンチ部にポンチを挿通したとき、Ｘスケール又はＹスケールの目盛にポンチの先端を近接させることができる。その結果、目的の位置に正確な打点を刻印することが可能となる。
また、ポンチ部に挿通したポンチを使用者が片手で操作しながら移動することができるので、ＸＹ座標の位置を決定する作業が容易となる。
従って、本構成の可動式ポンチは、対象物の目的の位置に打点を正確に刻印する際に有用であり、特に、多数の異なる位置に打点を刻印する場合において、時間をかけずに精度の高い位置合わせをすることが容易となる。
【００１２】
本発明に係る可動式ポンチにおいて、
前記開口部の幅は、前記Ｘスケール又は前記Ｙスケールの幅に対して０．２〜０．５倍の大きさに設定されることが好ましい。
【００１３】
本構成の可動式ポンチによれば、Ｘスケール又はＹスケールの長手方向に沿って形成した細長の開口部の幅を、スケールの幅に対して０．２〜０．５倍の大きさに設定しているため、開口部を介して対象物を確認し易く、且つＸスケール又はＹスケールの強度を十分に確保することができる。その結果、ポンチ部の位置決めが安定し、打点の刻印を正確、且つ容易に行うことができる。
【００１４】
本発明に係る可動式ポンチにおいて、
前記Ｘスケール又は前記Ｙスケールの幅において、その一端から０．２倍以上０．７倍未満の位置、及び０．７倍以上０．９倍未満の位置に、前記開口部の両端が夫々存在するよう前記開口部が形成されることが好ましい。
【００１５】
本構成の可動式ポンチによれば、Ｘスケール又はＹスケールの長手方向に沿って形成した細長の開口部の両端を上記の特定の位置に設定することで、ポンチ部の移動をよりスムーズに行うことができるとともに、ポンチ部の位置決めがより安定し、正確、且つ容易に打点を刻印することができる。
【００１６】
本発明に係る可動式ポンチにおいて、
前記Ｘスケール又は前記Ｙスケールに対する前記ポンチ部のスライド移動量を規制する規制部を備えることが好ましい。
【００１７】
本構成の可動式ポンチによれば、スライド移動量を規制する規制部を備えることで、ポンチ部のスライド範囲を一定範囲内に規制することができる。そのため、ポンチ部分が予定してない位置に移動して打点が刻印されてしまうことを未然に防止することができる。
【００１８】
本発明に係る可動式ポンチにおいて、
前記ポンチ部は、前記Ｘスケール又は前記Ｙスケールに付された目盛りを読み取るための確認窓を備えることが好ましい。
【００１９】
本構成の可動式ポンチによれば、確認窓を備えることで、Ｘスケール又はＹスケールに付された目盛りがさらに確認し易くなり、ポンチ部の位置決めをより正確、且つ容易に行うことができる。
【図面の簡単な説明】
【００２０】
【図１】図１は、本発明の可動式ポンチの一実施形態の概略斜視図である。
【図２】図２は、図１の可動式ポンチにおけるＡ−Ａ位置の断面図である。
【発明を実施するための形態】
【００２１】
以下、本発明の可動式ポンチに関する実施形態について、図１及び図２を参照しながら説明する。ただし、本発明は、以下に説明する実施形態や図面に記載される構成に限定されることを意図しない。
【００２２】
図１は、本発明の可動式ポンチ１の一実施形態の概略斜視図である。図２は、図１の可動式ポンチ１におけるＡ−Ａ位置の断面図である。図２では、図１で省略したポンチ２０を示してある。本実施形態の可動式ポンチ１は、まずＸ座標を決定し、次にＹ座標を決定して、打点を刻印する地点の位置決めを行うものである。可動式ポンチ１は、Ｘスケール２とＹスケール３とが、垂直に連結されている。そして、Ｘスケール２にＸスケール移動部４が設けられ、Ｙスケール３にＹスケール移動部５が設けられる。また、Ｙスケール移動部５にはポンチ部９が設けられ、ポンチ２０は、ポンチ部９に挿通される。ポンチ２０には、バネ２１が設けられており、ポンチ部９にポンチ２０を挿通した時点では、バネ２１の付勢力によりポンチ２０の先端は対象物Ｍから離間している（図２（ａ））。ここで、ハンマー等でポンチ２０の基端側を叩くと、バネ２１の付勢力に抗してポンチ２０の先端が対象物Ｍに触れ、打刻することができる（図２（ｂ））。Ｙスケール３の端部は、Ｘスケール移動部４に連結しており、Ｘスケール移動部４が移動することで、それに連動してＹスケール３が移動する。ポンチ部９の位置決めは、ポンチ部９に挿通させたポンチ２０を使用者が持った状態で、Ｘスケール移動部４を移動して、矢印１２によりＸ座標の位置決めを行った後、Ｘスケール固定ネジ１４を締めることにより、Ｘ座標を固定する。次に、Ｙスケール移動部５を移動して、Ｙ座標の位置決めを矢印１３により行い、Ｙスケール固定ネジ１５を締めることにより、Ｙ座標を固定する。矢印１２、１３は、ポンチ部９の円の中心の位置に対応している。決定した位置において、ハンマー等でポンチ２０の基端側を叩いて打点を刻印する。ここで、Ｙスケール３には開口部８が形成されており、ポンチ部９は開口部８を介して対象物Ｍに打点を刻印可能に構成されている。開口部８は、Ｙスケール３の長手方向に沿って細長の形状に開口しており、開口部８の幅（図１中の幅ａ）をスケールの幅（図１中の幅ｂ）に対して０．２〜０．５倍、好ましくは０．２〜０．３倍の大きさに設定している。この場合、可動式ポンチ１の使用者は、開口部８を介して対象物Ｍを確認し易く、且つＸスケール２又はＹスケール３の強度を十分に確保できる。従って、ポンチ部９の位置決めが安定し、ポンチ部９に挿通したポンチ２０による打点の刻印を正確、且つ容易に行うことができる。また、開口部８は、Ｙスケール３の幅（ｂ）において、その一端（ｂ１）から０．２倍以上０．７倍未満の位置、及び０．７倍以上０．９倍未満の位置に、好ましくは、一端（ｂ１）から０．５倍以上０．６倍未満の位置、及び０．７倍以上０．８倍未満の位置に、開口部８の両端が夫々存在するよう形成される。これにより、ポンチ部９の移動をよりスムーズに行うことができるとともに、ポンチ部９がより安定し、正確、且つ容易に打点を刻印することが可能となる。
【００２３】
Ｘスケール２及びＹスケール３には、それぞれスライド可能なＸスケール移動部４及びＹスケール移動部５が設けられている。これらスケール及びスケール移動部の材質は、金属、樹脂、木材等が使用可能であり、これらを組み合わせて使用してもよい。スケール移動部はスケール上をスライドして移動することができるように設けられている。また、Ｙスケール３の目盛７又はＸスケール２の目盛６にポンチ部９の先端が近接する構成となっている。目盛６又は７とポンチ部９とが近接することにより、目盛６又は７の表示線が見やすくなり、正確に位置決めすることが可能になる。さらに、スケールの目盛部分に傾斜をつけておけば、目盛６、７がさらに確認し易くなる。なお、図１の可動式ポンチ１は、スケールによりアナログ方式で位置決めを行うものであるが、デジタル方式で位置決めするものであってもよく、これらの組み合わせであってもよい。
【００２４】
開口部８は、Ｘスケール２又はＹスケール３に長手方向に沿って細長の形状に形成され、ポンチ部９が開口部８の内側を打点できるように設けられている。つまり、Ｙスケール３又はＸスケール２の枠内で打点を刻印する構成となっている。このような構成とすることにより、ポンチ部９にポンチ２０を挿通した状態での移動がスムーズとなるとともに、打刻する際、決定した位置からポンチ２０がずれることを防止することができる。
【００２５】
ちなみに、従来技術として挙げた特許文献１のＸＹ測定具のように、スケールに開口部８が設けられず、スケールの外側にポンチ部９を設けた場合は、ポンチ部９に挿通したポンチ２０を使用者が持った状態でスケール移動部４、５を移動させることが困難となる。また、打点を刻印する際には、ポンチ２０の位置がずれてしまう虞がある。
【００２６】
また、Ｘスケール２又はＹスケール３の長手方向に沿って形成した細長の開口部８の幅を、スケールの幅に対して０．２〜０．５倍の大きさ、より好ましくは０．２〜０．３に設定することで、使用者が開口部８を介して対象物Ｍを確認し易くなる。また、この範囲内であれば、Ｘスケール２又はＹスケール３の強度を十分に確保できるため、位置決めが安定し、打点の刻印の際、ポンチ２０の位置がずれ難くなる。開口部８の幅が、スケールの幅に対して０．５倍以上になると、スケールの強度が下がり、位置決めが不安定化し、打刻の際にポンチ２０の位置がずれる虞がある。また、その幅が０．２倍以下となると、ポンチ部９にポンチ２０を挿通することが困難となる。
【００２７】
さらに、Ｘスケール２又はＹスケール３の長手方向に沿って形成した細長の開口部８の両端を特定の位置に設定することで、ポンチ部９の移動をよりスムーズに行うことができるとともに、ポンチ部９がより安定するようになる。Ｘスケール２又はＹスケール３の開口部８の幅（ａ）は、スケールの一端（ｂ１）から０．２倍以上０．７倍未満の位置、及び０．７倍以上０．９倍未満の位置に、好ましくは、一端（ｂ１）から０．５倍以上０．６倍未満の位置、及び０．７倍以上０．８倍未満の位置に開口部８の両端が夫々存在するよう開口部８が形成される。この範囲以外の位置に、開口部８の両端が夫々存在するように開口部８が形成されると、開口部８の幅（ａ）が過剰に大きくなるか、又は過剰に小さくなる。開口部８の幅（ａ）が過剰に大きくなる（開口部８の両端が、ｂ１から０．２倍未満の位置、及び０．９倍以上の位置）場合、スケールの強度を十分確保することができなくなり、位置決めが不安定化する。開口部８の幅（ａ）が過剰に小さくなる（開口部８の両端が、ｂ１から０．７倍以上の位置、０．６倍未満の位置）場合、ポンチ部９にポンチ２０を挿通することが困難となる。
【００２８】
可動式ポンチ１は、図１に示すように、Ｘスケール移動部４又はＹスケール移動部５のスライド移動量を規制する規制部１０を備えることもできる。規制部１０は、ポンチ部９のスライド範囲を一定範囲内に規制する部材である。規制部１０は、Ｘスケール２又はＹスケール３に設けられた開口部８をスライド移動し、目的の位置に固定することができる。規制部１０は、ネジ式やスプリング式で、Ｘスケール２又はＹスケール３に固定することができる。
【００２９】
さらに、可動式ポンチ１には確認窓１１が設けられる。確認窓１１は、図１に示すような切り抜き状の開口とするもののほか、アクリル樹脂、ガラス等の透明な素材で覆われていてもよい。また、図１においては、確認窓１１に近接するように目盛を確認するための矢印１２、１３が設けられているが、矢印の代わりに確認窓１１の透明な素材に目盛６又は７の表示線と平行になるように細い線を設けてもよい。
【００３０】
＜別実施形態＞
（１）図１では、ポンチ部９は一つだけ設けられているが、２つ以上設けてもよい。この場合、各ポンチ部９に対応する矢印を設ける。
（２）図１では、Ｘスケール２が固定され、Ｙスケール３が移動する構成となっているが、Ｙスケール３が固定され、Ｘスケール２が移動する構成になっていてもよい。この場合、Ｘスケール２の端部は、Ｙスケール移動部５に連結しており、ポンチ部９は、Ｘスケール移動部４に設けられる。
（３）固定されるスケールの底部には、防滑材を設けることができる。移動するスケールについては、スケールの底部にキャスターを設置することができる。
（４）Ｘ座標又はＹ座標の位置決めをした後、スケール移動部とスケールとを固定するための固定具を設けることができる。固定具の固定部材は、固定ネジの他、ピン、スプリング、ヒンジ、磁石、面ファスナー等を使用することができる。
【産業上の利用可能性】
【００３１】
本発明の可動式ポンチは、金属、樹脂、木材等の比較的硬質の材料を対象とするものであるが、比較的軟質の材料、例えば、厚紙、ビニール、皮革、布地等に対して適用することも可能である。本発明の可動式ポンチの利用場面としては、日曜大工、工作、レザークラフト、洋裁等が挙げられる。
【符号の説明】
【００３２】
１            可動式ポンチ
２            Ｘスケール
３            Ｙスケール
４            Ｘスケール移動部
５            Ｙスケール移動部
６            Ｘスケール目盛
７            Ｙスケール目盛
８            開口部
９            ポンチ部
１０          規制部
１１          確認窓
１２          Ｘスケール矢印
１３          Ｙスケール矢印
１４          Ｘスケール固定ネジ
１５          Ｙスケール固定ネジ
２０          ポンチ
２１          バネ
【図１】
0006603076.tif 000002
【図２】
0006603076.tif 000003